(57)【特許請求の範囲】
【請求項１】
台紙（Ｂ１）の表面に力士が描かれ、その力士の廻しに相当する部分に、前記台紙（Ｂ１）の裏面から孔（１３、１４、１５、１６、１７、１８、１９）を介して靴下（Ａ）の一部が引き出されて前記廻しの態様（５、６）とされている靴下の包装構造において、
上記台紙（Ｂ１）の力士の腰部の両側に上記孔（１４、１５）が形成されているとともに、その両孔（１４、１５）の間の中程の上下に孔（１３、１６）が形成されており、前記靴下（Ａ）が、前記両側の孔（１４、１５）の一方の孔を介して台紙（Ｂ１）の裏面から表面に引き出された後、他方の孔から台紙（Ｂ１）の裏面に引き込まれ、その台紙（Ｂ１）裏面の靴下（Ａ）の一部（１、２）が上下の孔（１３、１６）の一方の孔から台紙（Ｂ１）の表面に引き出され、その靴下（Ａ）の一部（１、２）が前記両側の孔（１４、１５）に亘った靴下部分を潜って前記上下の孔（１３、１６）の他方に引き込まれて、上記廻しの態様（５）とされている靴下の包装構造。
【請求項２】
台紙（Ｂ１）の表面に力士が描かれ、その力士の廻しに相当する部分に、前記台紙（Ｂ１）の裏面から孔（１３、１４、１５、１６、１７、１８、１９）を介して靴下（Ａ）の一部が引き出されて前記廻しの態様（５、６）とされている靴下の包装構造において、
上記台紙（Ｂ１）の力士の腰部の両側に上記孔（１８、１９）が形成されているとともに、その両孔（１８、１９）の間に孔（１７）が形成されており、前記靴下（Ａ）が、前記両側の孔（１８、１９）の一方の孔を介し台紙（Ｂ１）の裏面から表面に引き出された後、他方の孔から台紙（Ｂ１）の裏面に引き込まれ、台紙（Ｂ１）裏面の靴下（Ａ）の爪先部分（２）が、前記両孔（１８、１９）の間の孔（１７）から引き出されて前記両側の孔（１８、１９）に亘った靴下部分を潜って垂れ下がって、上記廻しが化粧廻し態様（６）とされている靴下の包装構造。
【請求項３】
上記台紙（Ｂ１）が前後板（１１、１２）を有する箱状であり、その前後の板の一方（１１）に、請求項１に記載の靴下の包装構造がなされ、他方の板（１２）に、請求項２に記載の靴下の包装構造がなされている靴下の包装構造。
【請求項４】
台紙（Ｂ２）の表面にカッターシャツの襟部分（２１、２１）が描かれ、そのカッターシャツの襟部分の間に、靴下（Ａ）がネクタイ結びで取り付けられている靴下の包装構造であって、
上記台紙（Ｂ２）は、折り重ねられた表裏の表板（１１）と裏板（１２）からなり、その表板（１１）の表面に上記カッターシャツの上部表模様が描かれ、裏板（１２）の表面に前記カッターシャツの下部表模様が描かれ、上記カッターシャツの対の襟部分（２１、２１）は表板（１１）が切り起こされて形成されており、
上記表板（１１）の対の襟部分（２１、２１）の間を人の首回りの一部として、その部分に対の一の靴下（Ａ）でもってネクタイ取付仕様が形成され、対の他の靴下（Ａ）は上記表板（１１）と裏板（１２）の間に収納されている靴下の包装構造。
【請求項５】
上記対の一の靴下（Ａ）をその幅方向に折り畳んで所要の幅とした後、ウェルト部分（１）を長さ方向の中程で裏面側に折り返すとともに表面側に折り返し、さらに、そのウェルト部分（１）を前記折り返された輪状部（３）に左から右に通して引き出して、ネクタイの結び態様とし、そのネクタイ仕様となった靴下（Ａ）を、上記両襟部分（２１、２１）の間に取り付け、前記靴下（Ａ）のウェルト部分（１）は、上記襟部分（２１）の切り起こし孔から裏面に引き入れた請求項４に記載の靴下の包装構造。
【発明の詳細な説明】
【技術分野】
【０００１】
この発明は、靴下とその包装用台紙によって衣料の使用態様を表現するようにした靴下の包装構造に関するものである。
【背景技術】
【０００２】
靴下（ソックス）は脚部を被う衣類であり、その表面模様は編み糸の色や編み方を変化させることによって種々のものが得られる。
このような靴下において、その靴下表面に絵柄を施（形成）したり（特許文献１要約参照）、その絵柄を発光ダイオードによって照射したりして（特許文献２要約参照）、特異性を出したものがある。
一方、靴下の包装態様を変化させて販売促進を図ろうとする考えも示されている（特許文献３〜５参照）。
【先行技術文献】
【特許文献】
【０００３】
【特許文献１】特開２００２−２０９０３号公報
【特許文献２】特開２０１１−４７０７３号公報
【特許文献３】実開昭６３−２８６８６号公報
【特許文献４】実用新案登録第３１１６１１４号公報
【特許文献５】実用新案登録第３１８３８４６号公報
【発明の概要】
【発明が解決しようとする課題】
【０００４】
この発明は、以上の実情の下、靴下とその包装用台紙によって各種の衣料の使用態様等を表現して販売促進を図ることを課題とする。
【課題を解決するための手段】
【０００５】
相撲（すもう）は、土俵の上で力士が組合って戦う形を取る日本古来の神事や祭りであり、同時に武芸でもあり、さらに武道でもあって、古くから祝儀を得るための興行として、大相撲が行われている。近年では、日本由来の武道・格闘技・スポーツとして国際的にも行われている。
このため、その相撲を模した靴下の販売態様とすれば、販売促進、特に、外国人への販売促進が図られると考える。
そのため、この発明にあっては、台紙の表面に力士が描かれ、その力士の廻し（相撲褌）に相当する部分に、前記台紙の裏面から孔を介して靴下の一部が引き出されて前記廻し態様とされている構成を採用する。
靴下は台紙の裏面から引き出されて、廻しを構成しない部分は台紙の裏面に位置するため、力士を醸し出す態様の邪魔にならない。
【０００６】
上記構成は、一対の靴下の包装にそれぞれ採用しても良いが、上記台紙に、二人の力士を描き、その各力士の廻しを靴下で構成するものとすることもできる。そのとき、両力士は、並んでいたり、相撲を取っていたりする等の種々の態様とすることができる。
また、その構成において、上記台紙を前後の板を有する箱状とし、その前後の板の表面に、それぞれ力士が描かれ、その各力士の廻しに相当する部分に、前記各板の裏面から孔を介して靴下の一部が引き出されて前記廻し態様とされている構成とすることができる。
この構成とすると、箱状台紙に対の靴下を包装することができるとともに、箱内に対の靴下を収納したものとなる。
【０００７】
上記靴下による廻し態様の具体的な一構成としては、種々の態様が考えられるが、例えば、上記台紙の力士の腰部の両側に上記孔が形成されているとともに、その両孔間の中程の上下に孔が形成されており、前記靴下が、前記両側の孔の一方を介して台紙の裏面から表面に引き出された後、他方の孔から台紙の裏面に引き込まれ、その台紙裏面の靴下の一部が、上下の孔の一方から台紙の表面に引き出され、その靴下の一部が前記両側の孔に亘った靴下部分を潜って前記上下の孔の他方に引き込まれて、前記廻し態様とされている構成を採用したり、
上記台紙の力士の腰部の両側に上記孔が形成されているとともに、その両孔の間に孔が形成されており、前記靴下が、前記両側の孔の一方を介し台紙の裏面から表面に引き出された後、他方の孔から台紙の裏面に引き込まれ、台紙裏面の靴下の爪先部分が、前記両孔の間の孔から引き出されて前記両側の孔に亘った靴下部分を潜って垂れ下がっている構成を採用したりすることができる。
前者は、通常の廻し態様となり、後者は化粧廻し態様となる。このとき、上記台紙を前後板を有する箱状とし、その前後の板の一方に、前者の廻し態様、他方に後者の化粧廻し態様を採用することができる。
【０００８】
一方、ネクタイを締めたワイシャツ姿は一般的であり、その態様とすれば、靴下の販売促進が図れるのではないか、と考える。また、靴下はネクタイと同様に長尺物である。
そのため、この発明にあっては、台紙の表面にワイシャツの襟元部分が描かれ、そのワイシャツの襟部分の間に、靴下がネクタイ結びで取り付けられている構成を採用したのである。このとき、前記襟部分の台紙は切り起こされている態様とし得る。
このネクタイ結びの靴下は、その結び態様で、台紙に糸止めやタッチャー止め（針止め）等によって取り付けることもできるが、上記廻しと同様に、台紙に孔を設け、その孔を介して台紙裏面から表面に靴下の一部を引き出す、又は台紙表面から裏面に靴下の一部を引き入れるとともに、適宜に結び目をつくって、台紙への取付とネクタイ態様を醸し出すようにすることができる。
【発明の効果】
【０００９】
この発明は、以上のように構成して、靴下とその包装用台紙によって衣料の使用態様等を表現したので、靴下の斬新な販売態様となって販売促進を図ることができる。
【図面の簡単な説明】
【００１０】
【図１Ａ】この発明に係る靴下の包装態様の一実施形態を示し、（ａ）は正面斜視図、（ｂ）は背面斜視図
【図１Ｂ】図１の廻し部分を線画にしたものであり、（ａ）は正面斜視図、（ｂ）は背面斜視図
【図２】同実施形態の包装用台紙（箱）を示し、（ａ）は正面斜視図、（ｂ）は背面斜視図
【図３】同包装用台紙の展開状態を示し、（ａ）は正面斜視図、（ｂ）は背面斜視図
【図４Ａ】同実施形態の包装用台紙への一の靴下の取付作用を示し、（ａ）は正面一部斜視図、（ｂ）は背面一部斜視図
【図４Ｂ】同取付作用を示し、（ａ）は正面一部斜視図、（ｂ）は背面一部斜視図
【図４Ｃ】同取付作用を示し、（ａ）は正面一部斜視図、（ｂ）は背面一部斜視図
【図５Ａ】同実施形態の包装用台紙への他の靴下の取付作用を示し、（ａ）は正面一部斜視図、（ｂ）は背面一部斜視図
【図５Ｂ】同取付作用を示し、（ａ）は正面一部斜視図、（ｂ）は背面一部斜視図
【図５Ｃ】同取付作用を示し、（ａ）は正面一部斜視図、（ｂ）は背面一部斜視図
【図５Ｄ】同取付作用を示し、（ａ）は正面一部斜視図、（ｂ）は背面一部斜視図
【図６】この発明に係る靴下の包装構造の他の実施形態の正面斜視図
【図７】この発明に係る靴下の包装態様のさらに他の実施形態の正面斜視図
【図８】同実施形態の背面斜視図
【図９】同実施形態の包装用台紙の展開状態を示し、（ａ）は正面斜視図、（ｂ）は背面斜視図
【図１０Ａ】図６の実施形態の靴下の折り畳み作用図
【図１０Ｂ】同靴下の取付作用説明図
【図１０Ｃ】同靴下の取付作用説明図
【図１１Ａ】図７の実施形態の包装用台紙への靴下の取付作用説明図
【図１１Ｂ】同靴下の取付作用説明図
【図１１Ｃ】同靴下の取付作用説明図
【図１１Ｄ】（ａ）は同靴下の取付作用説明図、（ｂ）はその靴下部分の背面図
【図１１Ｅ】（ａ）は同靴下の取付作用説明図、（ｂ）はその靴下部分の背面図
【図１１Ｆ】同靴下の取付作用説明図
【発明を実施するための形態】
【００１１】
この発明に係る靴下の包装構造の一実施形態を図１〜図５Ｄに示し、この靴下Ａは、丸編みや平編み等の従来周知の種々の編み方で製造され、踵部（踵）を有するものと、踵の無いものがある。後者の踵の無い物は、足の大きさの制限が少ないため、ロット数を減らすことができる。この実施形態においては、踵の無い物としたが、踵を有するものも採用し得る。
【００１２】
この実施形態は、対の靴下Ａと、その包装用台紙Ｂ１とからなる。対の靴下Ａは、表裏に同じ模様（柄）が施されている。表裏が異なる模様としても良い。
包装用台紙Ｂ１は、カートンからなり、その表板１１に力士の四股（しこ）の一態様が、裏板１２に同土俵入りの一態様がそれぞれ記載されている。力士の他の種々の姿態様とし得る。
【００１３】
その表板１１のカートンの相撲取り（力士）の腹部と、その両側部及び股部の上下にそれぞれ四角状の孔１３、１４、１５、１６が形成されている。裏板１２のカートンの相撲取りの腹部と、その下方の脚部及び脚の下方にも四角状の孔１７、１８、１９、２０がそれぞれ形成されている（図３参照）。
表板１１の上下の孔１３、１６の位置は、その孔１３、１６に靴下Ａを渡した際、その渡した靴下Ａが両側の孔１４、１５の中程にあって、下部がその両側の孔１４、１５に渡した靴下Ａからはみ出し、一方、上部はその両側の孔１４、１５に渡した靴下Ａ内に隠れるように適宜に設定する。
また、裏板１２の腹部の長孔１７の位置は、両側の孔１８、１９に靴下Ａを渡した際、その上部がその両側の孔１８、１９に渡した靴下Ａに隠れるように適宜に設定する。
【００１４】
このカートンの包装用台紙Ｂ１に靴下Ａを取付ける包装態様を説明すると、対の一の靴下Ａをその幅方向において三つ折りとして細くし（図１０Ａ（ｂ）参照、但し、同図は二つ折り）、まず、表板１１においては、図４Ａ〜図４Ｃに示すように、腹部両側の孔１４、１５にその三つ折りの靴下Ａを通し（図４Ａ）、その靴下Ａの一端（この実施形態ではウェルト１側）を股部の孔１６に通し（図４Ｂ）、その通した一端を、両側の孔１４、１５に亘る部分を潜らせて（図１（ｂ）参照）腹部の孔１３に通す（図４Ｃ）。このとき、靴下Ａの各孔１３、１４、１５、１６への通し具合を調整して、力士が靴下Ａにより廻しを着けている態様とする。この靴下Ａの両側孔１４、１５への亘った形状、及び同上下の孔１５、１６への亘った形状によって、廻し態様５を表現する。
上記の靴下Ａの取付は一態様であって、他の種々の態様を採用し得る。例えば、靴下Ａを股部の孔１６に裏面から通した後、腹部の孔１３に通し、その後、両側の孔１４、１５に通す等と任意である。
【００１５】
つぎに、裏板１２においては、図５Ａ〜図５Ｄに示すように、靴下Ａの爪先部分２を表面から脚下方の長孔２０に通してその先端部を必要に応じてタッチャー等によって止める（図５Ａ）。続いて、靴下Ａのウェルト（ウェルト部分）１側を腹部の横方向の長孔１７に通し（図５Ｂ）、その通ったウェルト１側を両側の一方の孔１９から他方の孔１８に通して、化粧廻し態様６とする（図１Ａ（ｂ）、図１Ｂ（ｂ）、図５Ｄ）。この靴下Ａの取付は一態様であって、他の種々の態様を採用し得る。
【００１６】
このカートンの表裏板１１、１２に廻し態様５、６を造形した相撲取りの描かれた包装用台紙Ｂ１は、図１に示すように組み立てて箱状として販売する。このとき、この包装用台紙Ｂ１の表裏板１１、１２に取付けた靴下Ａで対をなす。
【００１７】
図６〜図１１Ｆには他の実施形態を示し、この実施形態はカートンからなる包装用台紙Ｂ２にネクタイ仕様で靴下Ａを取り付けたものである。その包装用台紙Ｂ２は、図６〜図９に示すように、その表面（表板片）１１にカッターシャツの上部表模様が描かれ、裏板１２にはその下部表模様が描かれている。そのカッターシャツの襟部分２１の台紙は切り起こされている。
【００１８】
この包装用台紙Ｂ２にネクタイ仕様で靴下Ａを取り付けるが、図６で示す実施形態について説明すると、まず、図１０Ａに示すように、対の一の靴下Ａ（同図（ａ））をその幅方向に折り畳んで所要の幅とした後、ウェルト部分１を長さ方向の中程で裏面側に折り返すとともに（同図（ｂ））表面側に折り返す（同図（ｃ））。さらに、そのウェルト部分１を前記折り返された輪状部３に左から右に通して引き出し、ネクタイの一結び態様とする（同図（ｄ））。このとき、結び目４は、ネクタイの結び態様に仕上げる。
【００１９】
つぎに、このネクタイ仕様となった靴下Ａを、図１０Ｂに示すように、両襟部分２１、２１の間（襟）に取り付ける。このとき、必要に応じて、台紙Ｂ２に靴下Ａの一部をタッチャー等で止める。また、靴下Ａのウェルト部分１は、襟部分２１の切り起こし孔から裏面に引き入れ、同様に、必要に応じてタッチャー等で止め、同爪先部分２は、台紙Ｂ２の表裏面の境の孔２２に挿し込み、同様に、必要に応じてタッチャー等で止める（図１０Ｃ参照）。
対の他の（片方の）靴下Ａは、図１０Ｃに示すように、台紙Ｂ２の他方の片（裏板１２）の裏面に重ねて置く。このとき、その靴下Ａもタッチャー等で止めることができる。
この状態において、台紙Ｂ２を組み立てて、図６に示す包装態様として販売する。このとき、この包装用台紙Ｂ２のネクタイ態様の靴下Ａ及び表裏板１１、１２間内に納めた靴下Ａで対をなす。
【００２０】
図７に示す実施形態について、図１１Ａ〜図１１Ｆを参照して説明すると、対の一の靴下Ａをその幅方向に折り畳んで所要の幅とした後（図１０Ａ（ｂ）参照）、その中程ｃを台紙Ｂ２の両襟部分２１、２１の間（襟）にタッチャー等で止める（図１１Ａ）。止め個所は上下の適宜な複数とし得る。
つぎに、この状態において、ウェルト部分１を上記止め部分ｃを境にして二つ折りし（図１１Ｂから図１１Ｃ）、つづいて、爪先部分２を止め部分ｃを境にして折り返して前記二つ折りしたウェルト部分１に重ねて下方にたらす（図１１Ｄ（ａ））。
【００２１】
この後、爪先部分２の中程を輪状に折り返してその輪状部分を、自身の上記折り返した輪状部７に、図１１Ｄ（ｂ）において左から右に通し（図１１Ｅ）、ウェルト部分１とそれに連続する部分を結び目８を境にして適宜に延ばして蝶ネクタイ仕様とする（図１１Ｅ→図１１Ｆ→図７）。この後、上記実施形態と同様に、対の他の（片方の）靴下Ａを台紙Ｂ２の他方の片の裏面に重ねて置き（図１０Ｃ参照）、この状態において、台紙Ｂ２を組み立てて、図７に示す包装態様として販売する。このとき、この包装用台紙Ｂ２のネクタイ態様の靴下Ａ及び台紙Ｂ２内に納めた靴下Ａで対をなす
【００２２】
なお、上記ネクタイ仕様への結び方は一例であって、台紙Ｂ２の襟部分２１、２１の間を人の首回りの一部として、その部分に種々の結び態様、例えば、図６の実施形態においては、ブレーンノット、ダブルノット、スモールノット、ウインザーノット、セミウンザーノット、クロスノット、ブラインドフォールドノット、ノンノット等の結び態様の靴下Ａからなるネクタイ取付仕様を適宜に採用できる。
【００２３】
上記各実施形態は、力士の廻し仕様、ネクタイ仕様の場合であったが、靴下Ａによって造形し得る物、例えば、エプロン、ニットキャップ、スカート等を造形し、その造形に合った図柄を台紙Ｂ１、Ｂ２に描けば、靴下Ａの斬新な販売態様とすることができる。台紙は、ギフトカード等の態様とし得る。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２４】
Ａ  靴下
Ｂ１、Ｂ２  包装用台紙
１  靴下のウェルト部分
２  同爪先部分
３  輪状部
４、８  結び目
５  廻し態様
６  化粧廻し態様
７  爪先部分の輪状部
１１  台紙の表板
１２  台紙の裏板
１３、１４、１５、１６、１７、１８、１９、２０、２２  台紙の靴下通し孔
２１  台紙の襟部分
【図１Ａ】
0006546776.tif 000002
【図１Ｂ】
0006546776.tif 000003
【図２】
0006546776.tif 000004
【図３】
0006546776.tif 000005
【図４Ａ】
0006546776.tif 000006
【図４Ｂ】
0006546776.tif 000007
【図４Ｃ】
0006546776.tif 000008
【図５Ａ】
0006546776.tif 000009
【図５Ｂ】
0006546776.tif 000010
【図５Ｃ】
0006546776.tif 000011
【図５Ｄ】
0006546776.tif 000012
【図６】
0006546776.tif 000013
【図７】
0006546776.tif 000014
【図８】
0006546776.tif 000015
【図９】
0006546776.tif 000016
【図１０Ａ】
0006546776.tif 000017
【図１０Ｂ】
0006546776.tif 000018
【図１０Ｃ】
0006546776.tif 000019
【図１１Ａ】
0006546776.tif 000020
【図１１Ｂ】
0006546776.tif 000021
【図１１Ｃ】
0006546776.tif 000022
【図１１Ｄ】
0006546776.tif 000023
【図１１Ｅ】
0006546776.tif 000024
【図１１Ｆ】
0006546776.tif 000025